(57)【要約】【課題】  各装置が警報情報を記憶・記録することができない場合であっても、システム全体として警報情報の欠落を防止する。【解決手段】  複数の機器監視装置は、自警報情報および他警報情報を記憶する第１の記憶部を含む警報管理部と、他の機器監視装置との間で自警報情報および他警報情報を送受信する装置通信部と、自装置の監視対象機器から自警報情報を受信し、警報管理部が動作している場合には、自警報情報を警報管理部に入力し、警報管理部が停止している場合には、自警報情報を装置通信部に入力する機器通信部と、をそれぞれ有し、装置通信部は、機器通信部から自警報情報が入力された場合には、自警報情報を他の機器監視装置に送信し、他の機器監視装置から自警報情報または他警報情報を受信し、かつ、警報管理部が動作している場合には、自警報情報または他警報情報を警報管理部に入力する。【選択図】  図１
2011205525.tif 000002
【特許請求の範囲】
【請求項１】
複数の機器監視装置を備える機器監視システムに用いられる機器監視装置であって、
自装置の監視対象機器が所定の動作をしていないことを示す自警報情報、および他の機器監視装置の監視対象機器が所定の動作をしていないことを示す他警報情報を記憶する第１の記憶部を含む警報管理部と、
他の機器監視装置との間で前記自警報情報および前記他警報情報を送受信する装置通信部と、
自装置の監視対象機器から前記自警報情報を受信し、前記警報管理部が動作している場合には、前記自警報情報を前記警報管理部に入力し、前記警報管理部が停止している場合には、前記自警報情報を前記装置通信部に入力する機器通信部と、
を有し、
前記装置通信部は、
前記機器通信部から前記自警報情報が入力された場合には、前記自警報情報を他の機器監視装置に送信し、
他の機器監視装置から前記自警報情報または前記他警報情報を受信し、かつ、前記警報管理部が動作している場合には、前記自警報情報または前記他警報情報を前記警報管理部に入力することを特徴とする機器監視装置。
【請求項２】
前記装置通信部は、
他の機器監視装置との間で前記自警報情報または前記他警報情報の送信を要求する要求情報をさらに送受信し、
他の機器監視装置から前記要求情報を受信し、かつ、前記要求情報が送信を要求する前記自警報情報または前記他警報情報が前記第１の記憶部に記憶されている場合には、当該記憶されている前記自警報情報または前記他警報情報を前記要求情報の送信元の機器監視装置に送信することを特徴とする請求項１に記載の機器監視装置。
【請求項３】
前記第１の記憶部は、前記警報管理部が停止している間は情報を保持することができず、
前記警報管理部は、前記自警報情報を記憶して当該警報管理部が停止している間も保持する第２の記憶部をさらに含み、起動時に前記第２の記憶部に記憶されている前記自警報情報を前記第１の記憶部に記憶させ、
前記装置通信部は、
前記警報管理部が停止する場合には、前記第１の記憶部に記憶されている前記他警報情報を他の機器監視装置に送信し、
前記警報管理部が起動する場合には、他の機器監視装置に前記自警報情報の送信を要求する前記要求情報を送信することを特徴とする請求項２に記載の機器監視装置。
【請求項４】
前記機器監視システムが備える前記複数の機器監視装置の前記警報管理部がそれぞれ動作しているか停止しているかを示す装置情報を記憶する第３の記憶部を含む装置管理部をさらに有し、
前記装置通信部は、
前記警報管理部が停止する場合には、前記第１の記憶部に記憶されている前記他警報情報を他の機器監視装置に送信した後に、自装置の前記警報管理部が停止していることを示す前記装置情報を他の機器監視装置に送信し、
前記警報管理部が起動する場合には、前記要求情報の要求に応じて他の機器監視装置から送信された前記自警報情報をすべて受信した後に、自装置の前記警報管理部が動作していることを示す前記装置情報を他の機器監視装置に送信することを特徴とする請求項３に記載の機器監視装置。
【請求項５】
前記警報管理部は、前記装置通信部から入力される前記他警報情報を監視対象機器から受信した機器監視装置の前記警報管理部が停止している場合にのみ、前記他警報情報を前記第１の記憶部に記憶させることを特徴とする請求項１ないし請求項４の何れかに記載の機器監視装置。
【請求項６】
複数の機器監視装置を備え、
前記複数の機器監視装置は、
自装置の監視対象機器が所定の動作をしていないことを示す自警報情報、および他の機器監視装置の監視対象機器が所定の動作をしていないことを示す他警報情報を記憶する第１の記憶部を含む警報管理部と、
他の機器監視装置との間で前記自警報情報および前記他警報情報を送受信する装置通信部と、
自装置の監視対象機器から前記自警報情報を受信し、前記警報管理部が動作している場合には、前記自警報情報を前記警報管理部に入力し、前記警報管理部が停止している場合には、前記自警報情報を前記装置通信部に入力する機器通信部と、
をそれぞれ有し、
前記装置通信部は、
前記機器通信部から前記自警報情報が入力された場合には、前記自警報情報を他の機器監視装置に送信し、
他の機器監視装置から前記自警報情報または前記他警報情報を受信し、かつ、前記警報管理部が動作している場合には、前記自警報情報または前記他警報情報を前記警報管理部に入力することを特徴とする機器監視システム。
【発明の詳細な説明】
【技術分野】
【０００１】
本発明は、機器監視装置および機器監視システムに関する。
【背景技術】
【０００２】
店舗や工場など、数多くの機器が稼動している施設では、省エネルギーなどの目的でそれらの機器を効率的に運用するため、各機器を連携して動作するように制御することが重要である。例えば、特許文献１および特許文献２では、スーパーなどの店舗に設置された冷凍機やショーケース装置など、複数の機器と通信して統御するとともに、それらの機器の状態を監視する統合コントローラ（中央統合器）を備えた制御システムが開示されている。  
このようにして、複数の機器を統合的に制御・監視することによって、施設全体を効率的に運用することができる。
【先行技術文献】
【特許文献】
【０００３】
【特許文献１】特開２００６−２３０６９号公報
【特許文献２】特開２００８−９２０６８号公報
【発明の概要】
【発明が解決しようとする課題】
【０００４】
統合コントローラは、複数の機器を制御・監視することができるものの、対応可能な機器の台数の増加は、製品コストの上昇を招く、トレードオフの関係となる。また、統合コントローラに採用されている通信規格などによって、対応可能な機器の台数が制限される場合もある。したがって、より多くの機器が稼動している施設では、複数の統合コントローラが必要となる場合もある。この場合、それらの統合コントローラは、それぞれの制御対象機器の状態のみを監視することとなる。
【０００５】
ところで、統合コントローラの機能は、一般に、仕様変更への対応や機能の追加が可能となるよう、一部がソフトウェア・アプリケーションとして実装される。しかしながら、アップデート作業などによってアプリケーションが動作していない期間に、統合コントローラが制御・監視対象機器から状態情報を受信すると、当該状態情報を記憶または記録することができない場合がある。
【０００６】
そのため、状態情報に欠落が生じて監視が不十分となるだけでなく、機器を適切に制御できない場合もあり得る。特に、店舗の冷凍機やショーケース装置が故障などによって所定の動作をしていない場合に、当該動作異常を示す警報情報が適時に処理されないと、温度上昇による食品の腐敗などの損失をもたらすこととなる。また、工場の製造ラインに設置されている機器の動作異常の場合には、当該機器の故障や製品の欠陥を引き起こす場合もあり得る。
【課題を解決するための手段】
【０００７】
前述した課題を解決する主たる本発明は、複数の機器監視装置を備える機器監視システムに用いられる機器監視装置であって、自装置の監視対象機器が所定の動作をしていないことを示す自警報情報、および他の機器監視装置の監視対象機器が所定の動作をしていないことを示す他警報情報を記憶する第１の記憶部を含む警報管理部と、他の機器監視装置との間で前記自警報情報および前記他警報情報を送受信する装置通信部と、自装置の監視対象機器から前記自警報情報を受信し、前記警報管理部が動作している場合には、前記自警報情報を前記警報管理部に入力し、前記警報管理部が停止している場合には、前記自警報情報を前記装置通信部に入力する機器通信部と、を有し、前記装置通信部は、前記機器通信部から前記自警報情報が入力された場合には、前記自警報情報を他の機器監視装置に送信し、他の機器監視装置から前記自警報情報または前記他警報情報を受信し、かつ、前記警報管理部が動作している場合には、前記自警報情報または前記他警報情報を前記警報管理部に入力することを特徴とする機器監視装置である。
【０００８】
本発明の他の特徴については、添付図面及び本明細書の記載により明らかとなる。
【発明の効果】
【０００９】
本発明によれば、各装置が警報情報を記憶・記録することができない場合であっても、システム全体として警報情報の欠落を防止することができる。
【図面の簡単な説明】
【００１０】
【図１】本発明の一実施形態における機器監視装置の構成を示すブロック図である。
【図２】本発明の一実施形態における機器監視装置を複数備えた機器監視システム全体の構成の概略を示すブロック図である。
【図３】本発明の一実施形態における機器監視装置の動作の概略を説明する図である。
【図４】本発明の一実施形態において、自／他警報情報ＡＬｙを受信した場合の機器監視装置の動作を説明する図である。
【図５】本発明の一実施形態において、警報管理部１２ｘが停止または起動する場合の機器監視装置の動作を説明する図である。
【図６】本発明の一実施形態において、要求情報ＲＱｙを受信した場合の機器監視装置の動作を説明する図である。
【発明を実施するための形態】
【００１１】
本明細書および添付図面の記載により、少なくとも以下の事項が明らかとなる。
【００１２】
＝＝＝機器監視システム全体の構成の概略＝＝＝
以下、図２を参照して、後述する本発明の一実施形態における機器監視装置を複数備えた機器監視システム全体の構成の概略について説明する。
【００１３】
図２に示されている機器監視システムは、それぞれ少なくとも１つ以上の機器を監視対象とする複数の機器監視装置を備えている。なお、機器監視装置の個数や、各機器監視装置の監視対象機器の台数は適宜変更され得る。図２においては、一例として、４つの機器監視装置１ａないし１ｄを備えた機器監視システムを示している。
【００１４】
機器監視装置１ａないし１ｄは、一例として、スター型のネットワークを構成しており、ハブとなっている機器監視装置１ａが通信網９を介して遠隔監視サーバ（不図示）などと接続されている。なお、機器監視システムのネットワークは、リング型やバス型など、他の構成となっていてもよく、機器監視装置１ａないし１ｄがそれぞれ通信網９に接続されていてもよい。
【００１５】
機器監視装置１ａは、例えば４台のショーケース装置ＳＣ１ないしＳＣ４を統合的に監視している。また、機器監視装置は、異なる種類の機器を監視することもでき、機器監視装置１ｂは、例えばショーケース装置ＳＣ５、空調装置の室外機ＯＵ１、および室内機ＩＵ１を統合的に監視している。さらに、監視対象機器には、他の監視対象機器の状態を測定する計器類やセンサ類も含まれ、機器監視装置１ｃは、例えば冷凍機ＲＭ１、ＲＭ２、およびそれらの消費電力を測定する電力計ＷＭ１を統合的に監視している。そして、機器監視装置１ｄは、例えば空調装置の室外機ＯＵ２、室内機ＩＵ２、ＩＵ３、およびそれらの消費電力を測定する電力計ＷＭ２を統合的に監視している。
【００１６】
図２に示されているように、機器の動作異常を示す警報情報ＡＬは、まず、それぞれの機器を監視対象としている機器監視装置に入力されている。なお、各警報情報は、その出力元の機器の識別情報を含んでいるが、以下の説明においては、機器監視装置１ａないし１ｄに入力される警報情報ごとにまとめて、それぞれ警報情報ＡＬａないしＡＬｄと称することとする。
【００１７】
＝＝＝機器監視装置の構成＝＝＝
以下、図１を参照して、本発明の一実施形態における機器監視装置の構成について説明する。
【００１８】
図１に示されている機器監視装置１ａは、機器通信部１１ａ、警報管理部１２ａ、入出力部１３ａ、装置通信部１４ａ、および装置管理部１５ａを含んで構成されている。なお、図１において、機器監視装置１ａの監視対象機器であるショーケース装置ＳＣ１ないしＳＣ４は、警報情報ＡＬａを出力する監視対象機器群１０ａとしてまとめて示されている。また、機器監視装置１ｂないし１ｄについても、通信網９に接続されていないものの、略同様の構成となっているものとする。
【００１９】
監視対象機器群１０ａから機器通信部１１ａに入力された警報情報ＡＬａは、警報管理部１２ａまたは装置通信部１４ａに入力される。また、警報情報ＡＬａは、警報管理部１２ａと装置通信部１４ａとの間で入出力され、さらに、装置通信部１４ａと機器監視装置１ｂないし１ｄとの間で入出力される。
【００２０】
一方、機器監視装置１ｂないし１ｄの監視対象機器群からも、それぞれ警報情報ＡＬｂないしＡＬｄが出力される。また、警報情報ＡＬｂないしＡＬｄも、警報情報ＡＬａと同様に、機器監視装置１ｂないし１ｄと装置通信部１４ａとの間で入出力され、さらに、装置通信部１４ａと警報管理部１２ａとの間で入出力される。
【００２１】
警報管理部１２ａは、記憶部１２１ａおよび記録部１２２ａを備えている。また、警報管理部１２ａは、アプリケーションのアップデートや省エネルギーの目的などによって、機器監視装置１ａ全体の動作中に独自に停止および起動することができるように構成されている。さらに、警報管理部１２ａからは、当該警報管理部１２ａの停止完了および起動完了の直前に、装置情報ＲＳａが出力される。そして、装置情報ＲＳａは、装置通信部１４ａを介して機器監視装置１ｂないし１ｄに入力される。
【００２２】
一方、機器監視装置１ｂないし１ｄからも、それぞれ装置情報ＲＳｂないしＲＳｄが出力される。また、装置情報ＲＳｂないしＲＳｄは、装置通信部１４ａを介して装置管理部１５ａに入力される。さらに、装置管理部１５ａは、記憶部１５１ａを備えており、記憶部１５１ａに記憶されている装置情報ＲＳｂないしＲＳｄは、警報管理部１２ａに適宜入力される。
【００２３】
入出力部１３ａは、機器監視装置１ａないし１ｄに対する命令情報ＣＯＭなどを入力する入力機能と、警報情報ＡＬａないしＡＬｄなどを表示する出力機能とを備え、例えばタッチパネルとして構成されている。また、本実施形態では、省エネルギーなどを目的として、入出力部１３ａは、警報管理部１２ａとともに停止および起動することができるように構成されている。
【００２４】
入出力部１３ａから警報管理部１２ａには、命令情報ＣＯＭが入力され、警報管理部１２ａから入出力部１３ａには、警報情報ＡＬａないしＡＬｄが入力される。また、警報管理部１２ａからは、命令情報ＣＯＭに応じて、要求情報ＲＱａないしＲＱｄが出力され、当該要求情報ＲＱａないしＲＱｄは、装置通信部１４ａを介して機器監視装置１ｂないし１ｄに入力される。一方、機器監視装置１ｂないし１ｄからも、要求情報ＲＱａないしＲＱｄが出力され、当該要求情報ＲＱａないしＲＱｄは、装置通信部１４ａを介して警報管理部１２ａに入力される。
【００２５】
なお、警報管理部１２ａおよび入出力部１３ａ以外の各部についても、機器監視装置１ａ全体の動作中に独自に停止および起動することができるように構成してもよい。しかしながら、以下の機器監視装置の動作の説明においては、機器監視システム全体として警報情報の欠落を防止するため、機器通信部１１ａ、装置通信部１４ａ、および装置管理部１５ａは、常に動作しているものとする。
【００２６】
＝＝＝機器監視装置の動作の概略＝＝＝
以下、図３を参照して、本実施形態における機器監視装置の動作の概略について説明する。
【００２７】
なお、以下においては、機器監視装置１ａないし１ｄのうちの任意の１つについて説明し、当該任意の機器監視装置（自装置）を機器監視装置１ｘと表すこととする。また、機器監視装置１ｘ以外の機器監視装置（他の機器監視装置）のうちの任意の１つを機器監視装置１ｚと表し、全機器監視装置（自装置または他の機器監視装置）のうちの任意の１つを機器監視装置１ｙと表すこととする。さらに、各機器監視装置の構成要素や監視対象機器群などについても、機器監視装置の符号と対応付けて、末尾が「ｘ」、「ｙ」、「ｚ」の何れかである符号を付けて表すこととする。例えば、機器監視装置１ｘの警報管理部は、警報管理部１２ｘと表される。
【００２８】
機器監視装置１ｘが起動すると（Ｓ１）、まず、所定の初期化処理を行う（Ｓ２）。また、操作者による手動停止やプログラムによる自動停止など、終了条件が成立するまでの間（Ｓ７：ＮＯ）、所定のイベントの発生を待つ（Ｓ３）。そして、終了条件が成立すると（Ｓ７：ＹＥＳ）、所定の終了処理を行い（Ｓ８）、機器監視装置１ｘ全体が停止する（Ｓ９）。
【００２９】
ここで、Ｓ３における所定のイベントのうち、警報情報の処理が発生するイベントは、３種類に大別することができ、それぞれのイベントに応じて、警報情報記憶処理（Ｓ４）、警報管理部停止／起動処理（Ｓ５）、警報情報送信処理（Ｓ６）の何れかの処理を行うこととなる。以下、それぞれの処理を行う場合の機器監視装置１ｘの動作について説明する。
【００３０】
＝＝＝機器監視装置の警報情報記憶処理における動作＝＝＝
まず、図４を参照して、警報情報記憶処理（Ｓ４）を行う場合の機器監視装置１ｘの動作について説明する。
【００３１】
なお、以下においては、機器監視装置１ｘ（自装置）の監視対象機器群１０ｘの動作異常を示す警報情報を、自警報情報ＡＬｘと称することとする。また、機器監視装置１ｚ（他の機器監視装置のうちの任意の１つ）の監視対象機器群１０ｚの動作異常を示す警報情報を、他警報情報ＡＬｚと称することとする。さらに、自警報情報ＡＬｘまたは他警報情報ＡＬｚを自／他警報情報ＡＬｙと称することとする。
【００３２】
機器監視装置１ｘは、自／他警報情報ＡＬｙを受信すると、警報情報記憶処理を開始する（Ｓ４０）。そして、当該警報情報記憶処理は、受信した自／他警報情報ＡＬｙが自警報情報ＡＬｘであるか（ｙ＝ｘ）、他警報情報ＡＬｚであるか（ｙ≠ｘ）によって、異なる処理となる。
【００３３】
ここで、自警報情報ＡＬｘは、監視対象機器群１０ｘから送信され、機器通信部１１ｘによって受信される。また、他警報情報ＡＬｚは、他の機器監視装置から送信され、装置通信部１４ｘによって受信される。なお、後述する警報管理部１２ｘの起動処理においては、自警報情報ＡＬｘが他の機器監視装置から送信され、装置通信部１４ｘによって受信されるが、この場合の動作についての詳細な説明は後述する。
【００３４】
機器通信部１１ｘが自警報情報ＡＬｘを受信した場合（Ｓ４１：ＹＥＳ）、受信された自警報情報ＡＬｘは、装置通信部１４ｘに入力され、装置通信部１４ｘから他の機器監視装置に送信される（Ｓ４２１）。なお、送信された自警報情報ＡＬｘは、他の機器監視装置によって受信され、当該他の機器監視装置において、他警報情報ＡＬｚとして後述するＳ４３１以降の処理が行われる。
【００３５】
また、警報管理部１２ｘが動作中の場合（Ｓ４２２：ＹＥＳ）、自警報情報ＡＬｘは、警報管理部１２ｘに入力される。さらに、入出力部１３ｘは、自警報情報ＡＬｘをタッチパネルの画面などに表示する（Ｓ４２３）。そして、警報管理部１２ｘは、自警報情報ＡＬｘを記憶部１２１ｘに記憶させるとともに、記録部１２２ｘに記録させ（Ｓ４２４）、警報情報記憶処理を終了する（Ｓ４９）。
【００３６】
なお、記憶部１２１ｘは、ＲＡＭ（Random Access Memory）などの揮発性メモリで構成されており、警報管理部１２ｘが停止している間は情報を保持することができない、第１の記憶部に相当する。また、記録部１２２ｘは、フラッシュメモリなどの不揮発性メモリで構成されており、警報管理部１２ｘが停止している間も情報を保持する、第２の記憶部に相当する。
【００３７】
一方、装置通信部１４ｘが他警報情報ＡＬｚを受信した場合（Ｓ４１：ＮＯ）、警報管理部１２ｘが動作中のとき（Ｓ４３１：ＹＥＳ）には、受信された他警報情報ＡＬｚは、警報管理部１２ｘに入力される。
【００３８】
ここで、機器監視装置１ｚ（監視対象機器群１０ｚから他警報情報ＡＬｚを受信した機器通信部１１ｚを含む機器監視装置）の警報管理部１２ｚが停止中の場合（Ｓ４３２：ＮＯ）、他警報情報ＡＬｚを記憶部１２１ｚに記憶させることはできない。そのため、警報管理部１２ｘは、所定の一時記憶条件が成立しているとき（Ｓ４３３：ＹＥＳ）には、警報管理部１２ｚに代わって、他警報情報ＡＬｚを記憶部１２１ｘに一時的に記憶させ（Ｓ４３４）、警報情報記憶処理を終了する（Ｓ４９）。
【００３９】
なお、このような他警報情報の一時記憶処理を行う機器監視装置を決定する一時記憶条件としては、例えば、警報管理部が動作中の機器監視装置のうち、機器監視装置の識別番号が最も小さいとの条件を用いることができる。この場合、一例として、機器監視装置１ａないし１ｄにそれぞれ識別番号１ないし４が割り当てられ、機器監視装置１ｂおよび１ｄの警報管理部が停止中であるものとすると、機器監視装置１ａが他警報情報ＡＬｂおよびＡＬｄの一時的な記憶を行うこととなる。
【００４０】
また、例えば、自装置から識別番号順に、それぞれの警報管理部が動作中であるか否かを確認し、最初に警報管理部が動作中であった機器監視装置を、他警報情報の一時記憶処理を行う機器監視装置と決定してもよい。この場合、上記と同様に、機器監視装置１ｂおよび１ｄの警報管理部が停止中であるものとすると、機器監視装置１ｃが他警報情報ＡＬｂの一時的な記憶を行い、機器監視装置１ａが他警報情報ＡＬｄの一時的な記憶を行うこととなる。
【００４１】
さらに、全機器監視装置における警報情報の記憶状況を把握する機能を各機器監視装置が備え、当該記憶状況に基づいて、他警報情報の一時記憶処理を行う機器監視装置を決定してもよい。例えば、各警報管理部における記憶部の使用率が最も低い機器監視装置を、他警報情報の一時記憶処理を行う機器監視装置と決定することができる。また、最も古い警報情報が記憶されている機器監視装置や、最も優先度の低い警報情報が記憶されている機器監視装置を、他警報情報の一時記憶処理を行う機器監視装置と決定することもできる。
【００４２】
以上のような一時記憶条件を用いることによって、警報管理部が動作中の機器監視装置のうち、当該一時記憶条件が成立している機器監視装置のみが、他警報情報の一時記憶処理を行うこととなる。なお、これらの一時記憶条件を組み合わせて用いてもよい。また、いずれの一時記憶条件も用いず、警報管理部が動作中のすべての機器監視装置が、他警報情報の一時記憶処理を行ってもよい。
【００４３】
このようにして、他警報情報ＡＬｚを警報管理部１２ｘの記憶部１２１ｘに一時的に記憶させることによって、機器監視装置１ｚの警報管理部１２ｚが停止中の場合であっても、機器監視システム全体として警報情報の欠落を防止している。なお、本実施形態では、Ｓ４２１において、自警報情報ＡＬｘを常に他の機器監視装置に送信しているが、警報管理部１２ｘが停止中の場合（Ｓ４２２：ＮＯ）にのみ、自警報情報ＡＬｘを他の機器監視装置に送信し、他の機器監視装置は一時記憶処理のみを行う構成としてもよい。
【００４４】
＝＝＝機器監視装置の警報管理部停止／起動処理における動作＝＝＝
次に、図５を参照して、警報管理部停止／起動処理（Ｓ５）を行う場合の機器監視装置１ｘの動作について説明する。ここでは、例えば省エネルギーなどを目的として、機器監視装置１ｘ全体の動作中に、警報管理部１２ｘの停止処理を行う場合、および警報管理部１２ｘの起動処理を行う場合の動作についてそれぞれ説明する。
【００４５】
警報管理部１２ｘが停止処理を行う場合（Ｓ５０、およびＳ５１：停止）、記憶部１２１ｘが他警報情報ＡＬｚを一時的に記憶しているとき（Ｓ５２１：ＹＥＳ）には、記憶されている他警報情報ＡＬｚは、装置通信部１４ｘから他の機器監視装置に送信される（Ｓ５２２）。なお、送信された他警報情報ＡＬｚは、他の機器監視装置によって受信され、当該他の機器監視装置において、警報情報記憶処理（Ｓ４）が行われる。
【００４６】
また、装置通信部１４ｘは、他警報情報ＡＬｚを他の機器監視装置に送信した後に、警報管理部１２ｘが停止していることを示す装置情報ＲＳｘ＝０を他の機器監視装置に送信し（Ｓ５２３）、警報管理部１２ｘの停止処理を完了する（Ｓ５２９）。なお、送信された装置情報ＲＳｘは、他の機器監視装置によって受信され、当該他の機器監視装置において、装置管理部の記憶部（第３の記憶部）に記憶される。
【００４７】
一方、警報管理部１２ｘが起動処理を行う場合（Ｓ５０、およびＳ５１：起動）、警報管理部１２ｘは、記録部１２２ｘに記録されている自警報情報ＡＬｘを読み出して、記憶部１２１ｘに記憶させる（Ｓ５３１）。また、装置通信部１４ｘは、自警報情報ＡＬｘの送信を要求する要求情報ＲＱｘを他の機器監視装置に送信する（Ｓ５３２）。なお、送信された要求情報ＲＱｘは、他の機器監視装置によって受信され、当該他の機器監視装置において、後述する警報情報送信処理（Ｓ６）が行われる。
【００４８】
さらに、装置通信部１４ｘは、送信した要求情報ＲＱｘの要求に応じて他の機器監視装置から送信された自警報情報ＡＬｘを受信して、警報管理部１２ｘの記憶部１２１ｘに記憶させる。そして、装置通信部１４ｘは、すべての自警報情報ＡＬｘの受信が完了した後（Ｓ５３３：ＹＥＳ）に、警報管理部１２ｘが動作していることを示す装置情報ＲＳｘ＝１を他の機器監視装置に送信し（Ｓ５３４）、警報管理部１２ｘの起動処理を完了する（Ｓ５３９）。
【００４９】
このようにして、警報管理部１２ｘの停止時には、記憶部１２１ｘに一時的に記憶されている他警報情報ＡＬｚを他の機器監視装置に送信する。また、警報管理部１２ｘの起動時には、記録部１２２ｘに記録されている自警報情報ＡＬｘを読み出し、さらに、他の機器監視装置において一時的に記憶されている自警報情報ＡＬｘを受信して、記憶部１２１ｘに記憶させる。したがって、警報管理部１２ｘが停止する場合に、機器監視システム全体として警報情報の欠落を防止することができる。
【００５０】
＝＝＝機器監視装置の警報情報送信処理における動作＝＝＝
次に、図６を参照して、警報情報送信処理（Ｓ６）を行う場合の機器監視装置１ｘの動作について説明する。
【００５１】
機器監視装置１ｘは、機器監視装置１ｚから送信された、自／他警報情報ＡＬｙの送信を要求する要求情報ＲＱｙを受信すると、警報情報送信処理を開始する（Ｓ６０）。
【００５２】
なお、当該警報情報送信処理は、機器監視装置１ｚにおける警報管理部１２ｚの起動処理に伴って行われる。この場合、要求情報ＲＱｙが送信を要求している自／他警報情報ＡＬｙは、機器監視装置１ｚにとって自警報情報である、他警報情報ＡＬｚとなる（ｙ＝ｚ）。さらに、警報情報送信処理は、例えば、警報管理部１２ｚが動作中の機器監視装置１ｚにおいて、自／他警報情報ＡＬｙをタッチパネルの画面に表示させる命令情報ＣＯＭが入力された場合などにも行われる。この場合、要求情報ＲＱｙが送信を要求している自／他警報情報ＡＬｙは、機器監視装置１ｚにとって他警報情報である（ｙ≠ｚ）。
【００５３】
また、記憶部１２１ｘが自／他警報情報ＡＬｙを記憶している場合（Ｓ６１：ＹＥＳ）には、装置通信部１４ｘは、記憶されている自／他警報情報ＡＬｙを、要求情報ＲＱｙの送信元である機器監視装置１ｚに送信する（Ｓ６２）。なお、送信された自／他警報情報ＡＬｙは、機器監視装置１ｚによって受信され、当該機器監視装置１ｚにおいて、警報情報記憶処理（Ｓ４）が行われる。
【００５４】
さらに、警報情報送信処理が警報管理部１２ｚの起動処理に伴うものである場合（Ｓ６３：ＹＥＳ）には、当該起動処理が完了した後（Ｓ６４：ＹＥＳ）に、警報管理部１２ｘは、送信された他警報情報ＡＬｚを記憶部１２１ｘから削除し（Ｓ６５）、警報情報送信処理を終了する（Ｓ６９）。
【００５５】
このようにして、機器監視装置１ｚから送信された要求情報ＲＱｙ（ｙ≠ｚ）の要求に応じて、自／他警報情報ＡＬｙを機器監視装置１ｚに送信することによって、当該機器監視装置１ｚにおいて、自／他警報情報ＡＬｙを利用することができる。また、機器監視装置１ｚにおける警報管理部１２ｚの起動時には、記憶部１２１ｘに一時的に記憶されている他警報情報ＡＬｚを機器監視装置１ｚに送信することによって、当該他警報情報ＡＬｚを警報管理部１２ｚの記憶部１２１ｚに記憶させることができる。
【００５６】
前述したように、機器監視装置１ｘ（１ａ〜１ｄ）において、少なくとも警報管理部１２ｘが停止中の場合には、自警報情報ＡＬｘを他の機器監視装置に送信し、警報管理部１２ｘが動作中の場合には、機器監視装置１ｚから送信された他警報情報ＡＬｚを警報管理部１２ｘの記憶部１２１ｘに一時的に記憶させることによって、各機器監視装置が警報管理部の停止中に警報情報を記憶・記録することができない場合であっても、機器監視システム全体として警報情報の欠落を防止することができる。
【００５７】
また、機器監視装置１ｚから送信された要求情報ＲＱｙの要求に応じて、記憶部１２１ｘに記憶されている自／他警報情報ＡＬｙを、要求情報ＲＱｙの送信元である機器監視装置１ｚに送信することによって、当該機器監視装置１ｚにおいて、自／他警報情報ＡＬｙを利用することができる。
【００５８】
また、警報管理部１２ｘの停止時には、記憶部１２１ｘに一時的に記憶されている他警報情報ＡＬｚを他の機器監視装置に送信し、警報管理部１２ｘの起動時には、記録部１２２ｘに記録されている自警報情報ＡＬｘ、および他の機器監視装置において一時的に記憶されている自警報情報ＡＬｘを記憶部１２１ｘに記憶させることによって、警報管理部１２ｘが停止する場合に、機器監視システム全体として警報情報の欠落を防止することができる。
【００５９】
また、警報管理部１２ｘの停止完了および起動完了の直前に、装置情報ＲＳｘを他の機器監視装置に送信することによって、装置情報ＲＳｘを他の機器監視装置に送信することによって、各機器監視装置において記憶されている装置情報に基づいて、警報管理部が動作中であるか停止中であるかを判定することができる。
【００６０】
また、機器監視装置１ｚの警報管理部１２ｚが停止中の場合にのみ、他警報情報ＡＬｚを警報管理部１２ｘの記憶部１２１ｘに一時的に記憶させることによって、他警報情報の一時記憶処理による記憶部の使用率を抑制することができる。
【００６１】
また、複数の機器監視装置を備える機器監視システムにおいて、警報管理部が停止中の機器監視装置に代わって、警報管理部が動作中の機器監視装置において、警報情報を一時的に記憶することによって、一部の機器監視装置の警報管理部が停止中の場合であっても、警報情報の欠落を防止することができる。
【００６２】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６３】
上記実施形態では、各機器監視装置は、監視対象機器に対して、その動作異常を示す警報情報を受信する監視機能のみを備えているが、これに限定されるものではない。例えば、機器監視装置を統合コントローラの一部として構成し、監視対象機器から警報情報以外の状態情報を受信する機能や、受信した警報情報や状態情報に基づいて監視対象機器を統御する機能をさらに備えた構成としてもよい。
【符号の説明】
【００６４】
１ａ〜１ｄ  機器監視装置
９  通信網
１０ａ  監視対象機器群
１１ａ  機器通信部
１２ａ  警報管理部
１３ａ  入出力部
１４ａ  装置通信部
１５ａ  装置管理部
１２１ａ  記憶部
１２２ａ  記録部
１５１ａ  記憶部
ＩＵ１〜ＩＵ３  室内機
ＯＵ１、ＯＵ２  室外機
ＲＭ１、ＲＭ２  冷凍機
ＳＣ１〜ＳＣ５  ショーケース装置
ＷＭ１、ＷＭ２  電力計
【図１】
2011205525.tif 000003
【図２】
2011205525.tif 000004
【図３】
2011205525.tif 000005
【図４】
2011205525.tif 000006
【図５】
2011205525.tif 000007
【図６】
2011205525.tif 000008